(57)【要約】【課題】構造的にヘッダ（頭部）の座面相当部分の面積を大きく取れて被締結物同士に対する締結力を充分に確保できる易解体型ボルトを提供すること。【解決手段】この易解体型ボルト１の場合、従来通りに被締結物８に設けられた挿入穴を通して雌ねじ部１０のねじ穴に先端側から捩じ込まれて嵌合保持される雄ねじ部４を有する他、雄ねじ部４から延在するように結合されたパイプ状の小径な胴体部３から大径なヘッダ２が一体的に延在する形状となっており、形状記憶材による胴体部３及びヘッダ２には径方向に内部まで貫通して長さ方向の全長に渡ってスリットが設けられ、胴体部３の径方向への拡縮動作を妨げない構造とするようにヘッダ２を胴体部３とほぼ同程度の径を持つ略円環状の中央部５とこの中央部５から同軸状に離間された複数の周端部７との間をほぼ径方向に細長く伸びた複数の腕状部６でそれぞれ連結した形状としている。【選択図】　　　図１
2004108561.tif 000002
【特許請求の範囲】
【請求項１】
少なくとも一つの被締結物に設けられた雌ねじとなり得るねじ穴に対して捩じ込まれて嵌合保持される雄ねじとなり得るパイプ状の胴体部と、前記胴体部より延在して該胴体部よりも大径な頭部とを有すると共に、少なくとも一部分が形状記憶材から成り、更に、前記胴体部及び前記頭部には径方向に内部まで貫通して長さ方向の全長に渡ってスリットが設けられ、前記形状記憶材の拡縮動作で被締結物の複数のもの同士を締結保持又は締結解体可能な易解体型ボルトであって、前記胴体部の径方向への拡縮動作を妨げない構造とするように前記頭部を該胴体部とほぼ同程度の径を持つ略円環状の中央部と該中央部から同軸状に離間された複数の周縁部との間をほぼ径方向に細長く伸びた複数の腕状部でそれぞれ連結した形状としたことを特徴とする易解体型ボルト。
【請求項２】
請求項１記載の易解体型ボルトにおいて、前記頭部には付勢力を有する弾性部品が組込まれており、前記弾性部品は、加熱により前記易解体型ボルトが前記被締結物の複数のもの同士の締結状態を解放した後に前記付勢力により自発的に該易解体型ボルトを該被締結物より飛び出させる働きを持つことを特徴とする易解体型ボルト。
【請求項３】
請求項１又は２記載の易解体型ボルトにおいて、前記形状記憶材は、形状記憶合金又は形状記憶樹脂の何れかであることを特徴とする易解体型ボルト。
【発明の詳細な説明】
【０００１】
【発明の属する技術分野】
本発明は、主として家電製品等で被締結物同士を締結するために適用されると共に、リサイクル利用が有効であって充分な締結力を保持して締結解体が容易な構造の易解体型ボルトに関する。
【０００２】
【従来の技術】
従来、この種の易解体型ボルトに関連する技術としては、例えば図４（ａ），（ｂ）及び図５（ａ），（ｂ）に示されるような構造のものが挙げられる（特許文献１参照）。但し、図４は、易解体型ボルトを含む結合保持部品全体の基本構成を一使用状態である締結時に関して示したもので、同図（ａ）は平面図に関するもの，同図（ｂ）は正面方向からの断面側面図に関するものであり、図５は、この結合保持部品全体の基本構成を他の使用状態である解体時に関して示したもので、同図（ａ）は平面図に関するもの，同図（ｂ）は正面方向からの断面側面図に関するものである。
【０００３】
この結合保持部品は、基本構造として一方の被締結物９に取り付けられて後述する雄ねじ部４を捩じ込んで嵌合保持するためのねじ穴を有する雌ねじ部１０　（被締結物９に直接的にねじ穴を設けて雌ねじ部１０としても良く、この場合には被締結物９に設けられた雌ねじ部１０としてのねじ穴に対して雄ねじ部４が捩じ込まれて嵌合保持されることになる）と、他方の被締結物８に設けられた挿入穴を通して雌ねじ部１０のねじ穴に先端側から捩じ込まれて嵌合保持されるパイプ状の雄ねじ部４を有し、且つこの雄ねじ部４から延在するように結合されたシャフト１２周囲に裾部としてヘッダ（頭部）１３が張り出すように同軸状に設けられた２重パイプ状構造で構成されると共に、少なくともシャフト１２及びヘッダ１３の全体又は一部が形状記憶材から成る易解体型ボルトとを有して成るもので、更に、形状記憶材の拡縮変形を有効に働かせるためにシャフト１２及びヘッダ１３には径方向に内部まで貫通して長さ方向の全長に渡ってスリットが設けられ、形状記憶材の拡縮動作で被締結物８，９同士を締結保持又は締結解体可能としている点が特色となっている。
【０００４】
この結合保持部品の場合、図４（ａ），（ｂ）に示されるように、一使用状態である締結時では、易解体型ボルトにおける雄ねじ部４を被締結物９の雌ねじ部１０のねじ穴に対して被締結物８の挿入穴を通してその挿入穴周縁にヘッダ１３が当接されるまで捩じ込んで雌ねじ部１０により雄ねじ部４が嵌合保持されるようにし、この状態で常温時にあってシャフト１２及び雄ねじ部４が径方向に拡張変形された形状を維持すると共に、ヘッダ１３が径方向に収縮変形された形状を維持してヘッダ１３及び雄ねじ部４で被締結物８，９を鋏み付けることにより、被締結物８，９同士を締結保持できるようになっている。
【０００５】
これに対し、他の使用状態である締結解体時には、図５（ａ），（ｂ）に示されるように、図４（ａ），（ｂ）に示した被締結物８，９の締結保持状態にあって、易解体型ボルトに対して形状記憶材の変態温度を超える温度域で加熱すれば良く、これにより易解体型ボルトにおけるシャフト１２及び雄ねじ部４が径方向に収縮変形されると共に、ヘッダ１３が径方向に拡張変形することで締結機能が喪失され、解体が容易となるように構成されている。
【０００６】
尚、上述した易解体型ボルトを含む結合保持部品では、それぞれ総計２つの被締結物８，９を締結保持又は締結解体する場合を説明したが、被締結物は３つ以上を対象にした場合でも同等な機能が得られる。
【０００７】
【特許文献１】
特開２００２年第００５１２４号公報
【０００８】
【発明が解決しようとする課題】
上述した結合保持部品における易解体型ボルトの場合、基本構造としてヘッダを径方向に大きく変形させる必要があることによりヘッダの径方向の肉厚をできるだけ薄くすることが要求されるが、これがヘッダの外径をシャフトの外径に対して余り大きくすることができず、ヘッダの座面に相当する部分の面積を大きく取れないという制約になるため、その結果として被締結物同士に対する締結力を余り大きくすることができないという欠点がある。
【０００９】
本発明は、このような問題点を解決すべくなされたもので、その技術的課題は、構造的にヘッダ（頭部）の座面に相当する部分の面積を大きく取れて被締結物同士に対する締結力を充分に確保できる易解体型ボルトを提供することにある。
【００１０】
【課題を解決するための手段】
本発明によれば、少なくとも一つの被締結物に設けられた雌ねじとなり得るねじ穴に対して捩じ込まれて嵌合保持される雄ねじとなり得るパイプ状の胴体部と、胴体部より延在して該胴体部よりも大径な頭部とを有すると共に、少なくとも一部分が形状記憶材から成り、更に、胴体部及び頭部には径方向に内部まで貫通して長さ方向の全長に渡ってスリットが設けられ、形状記憶材の拡縮動作で被締結物の複数のもの同士を締結保持又は締結解体可能な易解体型ボルトであって、胴体部の径方向への拡縮動作を妨げない構造とするように頭部を該胴体部とほぼ同程度の径を持つ略円環状の中央部と該中央部から同軸状に離間された複数の周縁部との間をほぼ径方向に細長く伸びた複数の腕状部でそれぞれ連結した形状とした易解体型ボルトが得られる。
【００１１】
又、本発明によれば、上記易解体型ボルトにおいて、頭部には付勢力を有する弾性部品が組込まれており、弾性部品は、加熱により易解体型ボルトが被締結物の複数のもの同士の締結状態を解放した後に付勢力により自発的に該易解体型ボルトを該被締結物から飛び出させる働きを持つ易解体型ボルトが得られる。
【００１２】
更に、本発明によれば、上記何れかの易解体型ボルトにおいて、形状記憶材は、形状記憶合金又は形状記憶樹脂の何れかである易解体型ボルトが得られる。
【００１３】
【発明の実施の形態】
以下に本発明の実施の形態について、図面を参照して詳細に説明する。図１は、本発明の一つの実施の形態に係る易解体型ボルト１を含む結合保持部品全体の基本構成を一使用状態である締結時に関して示したもので、同図（ａ）は平面図に関するもの，同図（ｂ）は正面方向からの断面側面図に関するものである。又、図２は、この結合保持部品全体の基本構成を他の使用状態である締結解体時に関して示したもので、同図（ａ）は平面図に関するもの，同図（ｂ）は正面方向からの断面側面図に関するものである。
【００１４】
この結合保持部品の場合も、基本構造として一方の被締結物９に取り付けられて雄ねじ部４を捩じ込んで嵌合保持するためのねじ穴を有する雌ねじ部１０（ここでも被締結物９に直接的にねじ穴を設けて雌ねじ部１０としても良く、この場合には被締結物９に設けられた雌ねじ部１０としてのねじ穴に対して雄ねじ１０が捩じ込まれて嵌合保持されることになる）と、他方の被締結物８に設けられた挿入穴を通して雌ねじ部１０のねじ穴に先端側から捩じ込まれて嵌合保持されるパイプ状の雄ねじ部４を有して構成される点は従来通りである。
【００１５】
但し、ここでの易解体型ボルト１は、雄ねじ部４から延在するように結合されたパイプ状の小径な胴体部３から大径な（座面に相当する部分の面積が大きい）ヘッダ（頭部）２が一体的に延在する形状で被締結物８の挿入穴から雄ねじ部４及び胴体部３が挿入装着されるようになっていると共に、その全体又は一部が形状記憶材から成り（形状記憶材を一部とする構成としては、ヘッダ２及び雄ねじ部４を形状記憶材とし、胴体部３をステンレス等のその他の材料とする場合を例示できる）、更に、形状記憶材の拡縮変形を有効に働かせるために胴体部３及びヘッダ２には径方向に内部まで貫通して長さ方向の全長に渡ってスリットが設けられている他、胴体部３の径方向への拡縮動作を妨げない構造とするようにヘッダ２を胴体部３とほぼ同程度の径を持つ略円環状の中央部５とこの中央部５から同軸状に離間された複数の周端部７との間をほぼ径方向に細長く伸びた複数の腕状部６でそれぞれ連結した形状とした上、形状記憶材の拡縮動作で被締結物８，９同士を締結保持又は締結解体可能となっている。
【００１６】
尚、ここでの易解体型ボルト１の形状記憶材としては、形状記憶合金や形状記憶樹脂の何れかを用いる場合を例示できる。
【００１７】
即ち、この易解体型ボルト１では、一使用状態である締結時には、図１（ａ），（ｂ）に示されるように、易解体型ボルト１における雄ねじ部４を被締結物９の雌ねじ部１０のねじ穴に対して被締結物８の挿入穴を通してその挿入穴周縁にヘッダ２が当接されるまで捩じ込んで雌ねじ部１０により雄ねじ部４が嵌合保持されるようにし、この状態で常温時にあってヘッダ２及び胴体部３と雄ねじ部４とが径方向に拡張変形された形状を維持してヘッダ２及び胴体部３と雄ねじ部４とで被締結物８，９を鋏み付けることにより、被締結物８，９同士を締結保持できるが、ここでのヘッダ２は座面に相当する部分の面積が図４（ａ），（ｂ）に示した従来構造のヘッダ１３の場合と比べてずっと大きく取られているため、同じ締結力で易解体型ボルト１を締付けると被締結物８表面の挿入穴周縁のヘッダ２に接している部分の陥没量を極く小さく抑えることが可能となり、締結力自体を格段に大きくできるようになっている。
【００１８】
これに対し、他の使用状態である締結解体時には、図２（ａ），（ｂ）に示されるように、図１（ａ），（ｂ）に示した被締結物８，９の締結保持状態にあって、易解体型ボルト１に対して形状記憶材の変態温度を超える温度域で加熱すれば良く、これによりヘッダ２及び胴体部３と雄ねじ部４とが径方向に収縮変形されることで締結機能が喪失され、締結解体が容易となる。この場合、この易解体型ボルト１では、予め径方向へ収縮した被締結物９の雌ねじ部１０のねじ穴内径より雄ねじ部４の外径が小さくなっている形状を記憶処理させておけば良く、これによって易解体型ボルト１及び雌ねじ部１０を含む結合保持部品全体を加熱したとき、易解体型ボルト１においてその形状が発現し、易解体型ボルト１を被締結物８，９とから容易に抜き取ることが可能となる。因みに、易解体型ボルト１のヘッダ２は、上述したようにその中央部５からほぼ径方向に複数の腕状部６を細長く伸ばして周端部７を連結させた構造としていることにより、ヘッダ２全体で径方向に収縮変形する際の変形抵抗が極く少ない形状となっており、これによって加熱時に易解体型ボルト１の胴体部３が径方向へ容易に収縮変形することができる。
【００１９】
図３は、本発明の他の実施の形態に係る易解体型ボルト１′を含む結合保持部品全体の基本構成を一使用状態である締結時に関して示したもので、同図（ａ）は平面図に関するもの，同図（ｂ）は正面方向からの側面断面図に関するものである。
【００２０】
この易解体型ボルト１′の場合、構造的には先の実施の形態の場合と同様であるが、ここではヘッダ２′に対して付勢力を有する弾性部品としてのコイルばね１１が組込まれており、このコイルばね１１は、加熱により易解体型ボルト１′が被締結物８，９の締結状態を解放した後に付勢力により自発的に易解体型ボルト１′を被締結物８，９より飛び出させる働きを持つようになっている。
【００２１】
即ち、この易解体型ボルト１′では、ヘッダ２′の中央部５と周端部７との間にコイルばね１１を組込む空間を設けてそこに予めコイルばね１１の一端側を挿入し、締結時に被締結物８によりコイルばね１１の他端側が圧縮変形を受けるようにしておくもので、締結解体時に加熱により易解体型ボルト１′が図２（ａ），（ｂ）に示したものと全く同様に径方向への収縮動作を行って雄ねじ部４と雌ねじ部１０とが外れるような構造（図示を省略する）にしておけば、そのときにコイルばね１１が圧縮変形の解放動作を促すように働き、これを経て易解体型ボルト１′を被締結物８，９から自発的に飛び出させることができるような構成とすることができる。
【００２２】
尚、上述した各実施の形態に係る易解体型ボルト１，１′においても、それぞれ総計２つの被締結物８，９を締結保持又は締結解体する場合を説明したが、被締結物は３つ以上を対象にした場合でも同等な機能が得られる。
【００２３】
【発明の効果】
以上に述べた通り、本発明の易解体型ボルトによれば、基本構造を改良し、雄ねじ部から延在するパイプ状の小径な胴体部又は雄ねじ部を有する胴体部から大径なヘッダ（頭部）が一体的に延在する形状とすると共に、ヘッダの座面に相当する部分の面積を大きく確保できて胴体部の径方向への拡縮動作を妨げない構造とするようにヘッダを胴体部とほぼ同程度の径を持つ略円環状の中央部とこの中央部から同軸状に離間された複数の周端部との間をほぼ径方向に細長く伸びた複数の腕状部でそれぞれ連結した形状としているので、従来構造のものと比べて締結時での締結力を非常に大きく確保することができるようになり、しかも加熱による締結解体時には容易に従来通りに締結解放できるので、結果として家電製品等での被締結物同士の締結・締結解体が極めて安定して信頼性高く容易に行い得るようになり、リサイクル利用が一層有効になる。
【図面の簡単な説明】
【図１】本発明の一つの実施の形態に係る易解体型ボルトを含む結合保持部品全体の基本構成を一使用状態である締結時に関して示したもので、（ａ）は平面図に関するもの，（ｂ）は正面方向からの断面側面図に関するものである。
【図２】図１に示す結合保持部品全体の基本構成を他の使用状態である締結解体時に関して示したもので、（ａ）は平面図に関するもの，（ｂ）は正面方向からの断面側面図に関するものである。
【図３】本発明の他の実施の形態に係る易解体型ボルトを含む結合保持部品全体の基本構成を一使用状態である締結時に関して示したもので、（ａ）は平面図に関するもの，（ｂ）は正面方向からの断面側面図に関するものである。
【図４】従来の易解体型ボルトを含む結合保持部品全体の基本構成を一使用状態である締結時に関して示したもので、（ａ）は平面図に関するもの，（ｂ）は正面方向からの断面側面図に関するものである。
【図５】図４に示す結合保持部品全体の基本構成を他の使用状態である締結解体時に関して示したもので、（ａ）は平面図に関するもの，（ｂ）は正面方向からの断面側面図に関するものである。
【符号の説明】
１，１′　　易解体型ボルト
２，２′，１３　　ヘッダ（頭部）
３　　胴体部
４　　雄ねじ部
５　　中央部
６　　腕状部
７　　周端部
８，９　　被締結物
１０　　雌ねじ部
１１　　コイルばね
１２　　シャフト
【図１】
2004108561.tif 000003
【図２】
2004108561.tif 000004
【図３】
2004108561.tif 000005
【図４】
2004108561.tif 000006
【図５】
2004108561.tif 000007